(57)【要約】【課題】支持棹等の構成部材の取り付け・取り外し、位置変更、傾斜角度の変更等を簡単容易に行うことができ、土壌の状態や使用薬液の種類等の様々な状況に応じて迅速かつ柔軟に対応することができるようにされた薬液散布用ノズル装置を提供する。【解決手段】所定数のノズル（３２）が並設された左右方向に伸びる支持棹（３５）と、横梁部材（５）等に取付具（４０）を介して左右方向及び前後方向の位置並びに上下方向の傾斜角度を調節可能に取り付けられた腕部材（３７）と、該腕部材（３７）に前記支持棹（３５）を着脱可能に保持するための挟持機構（５０）と、を備え、該挟持機構（５０）は、前記支持棹（３５）が乗せられる側面視溝形ないしＵ字状の受け部（５２）と、該受け部（５２）と協働して前記支持棹（３５）を挟持するフック部（５４）と、該フック部（５４）を挟持方向に付勢する付勢部材（５６）と、を有する。【選択図】  図２
2004222580.tif 000002
【特許請求の範囲】
【請求項１】
所定数のノズル（３２）が並設された左右方向に伸びる支持棹（３５）と、固定側部材（５）に取付具（４０）を介して前後方向（Ｘ）の位置並びに上下方向（Ｐ）の位置を調節可能に取り付けられた腕部材（３７）と、該腕部材（３７）に前記支持棹（３５）を着脱可能に保持するための挟持機構（５０）と、を備え、該挟持機構（５０）は、前記支持棹（３５）が乗せられる側面視溝形ないしＵ字状の受け部（５２）と、該受け部（５２）と協働して前記支持棹（３５）を挟持するフック部（５４）と、該フック部（５４）を挟持方向に付勢する付勢部材（５６）と、を有していることを特徴とする薬液散布用ノズル装置。
【請求項２】
前記挟持機構（５０）の前記フック部（５４）は、上下方向（Ｐ）に揺動可能でかつ前記支持棹（３５）に直交する方向（Ｘ）に移動可能とされ、前記支持棹（３５）は、前記受け部（５２）と前記フック部（５４）とで、回動可能に保持されるとともに、任意の回動位置にて挟圧固定されることを特徴とする請求項１に記載の薬液散布用ノズル装置。
【請求項３】
前記取付具（４０）は、前記固定側部材（５）に締緩可能に取り付けられる緊締バンド部（４１）と、該緊締バンド部（４１）に固着され、前記腕部材（３７）が挿通せしめられる嵌挿穴（４６）が形成されるとともに、前記腕部材（３７）を任意の位置で固定保持するための固定ねじ部材（４８）が螺合せしめられた腕保持部材（４５）と、からなっていることを特徴とする請求項１又は２に記載の薬液散布用ノズル装置。
【請求項４】
前記支持棹（３５）の位置決めを行うための位置決め部材（３８、３８）が設けられていることを特徴とする請求項１から３のいずれか一項に記載の薬液散布用ノズル装置。
【請求項５】
耕耘機（１）におけるロータリ爪（３）の左右に配設された一対の側板（４、４）間を橋絡する横梁部材（５）に、左右一対の前記腕部材（３７、３７）が前記取付具（４０）を介して前方に突出せしめられた状態で取り付けられ、前記左右一対の腕部材（３７、３７）の前端部にそれぞれ前記挟持機構（５０）が設けられていることを特徴とする請求項１から４のいずれか一項に記載の薬液散布用ノズル装置。
【発明の詳細な説明】
【０００１】
【発明の属する技術分野】
本発明は、耕耘機等に配備するのに好適な薬液散布用ノズル装置に係り、特に、所定数のノズルが並設された支持棹（ノズル管）の取り付け形態を改善した薬液散布用ノズル装置に関する。
【０００２】
【従来の技術】
従来より、耕耘機に薬液散布用ノズル装置を設け、薬液が散布された直後の土壌を前記耕耘機（のロータリ爪）で掘り返して前記薬液を土壌に拡散混和することが行われている（例えば、特許文献１、特許文献２参照）。
【０００３】
前記薬液散布用ノズル装置としては、例えば、前記耕耘機におけるロータリ爪の左右に配設された一対の側板間を橋絡する横梁部材に、左右一対の腕部材を前方に突出させた状態で取り付け、この腕部材の前端部に、多数のノズルが並設された支持棹（ノズル管）を固定保持させたものが知られている（例えば、特許文献３参照）。
【０００４】
【特許文献１】
特開２０００−１３５０４６号公報（第１〜５頁、図１〜図７）
【特許文献２】
実開平１−１３４４６５号公報（第１頁、図１〜図３）
【特許文献３】
特開２００２−６５００５号公報（第１〜７頁、図１〜図４）
【０００５】
【発明が解決しようとする課題】
しかしながら、前記した従来の薬液散布用ノズル装置においては、前記支持棹（ノズル管）等は、ねじ部材等で完全に固定されるため、当該装置を前記耕耘機等に一旦組み付けた後においては、前記支持棹の位置や前記腕部材及び前記ノズルの傾斜角度（対地角度）等を変更するのに多大な手間がかかり、土壌の状態や使用薬液の種類等の様々な状況に応じて迅速かつ柔軟に対応することができないという問題があった。
【０００６】
また、前記支持棹は、前記耕耘機をトラクタの後方にセッティングする際のトラブル（干渉等）を避けるため、必要に応じて容易に取り付け・取り外しできるようになすことが望まれるが、従来の薬液散布用ノズル装置では、取り付け・取り外しが容易には行えなかった。
【０００７】
本発明は、前記した如くの問題に鑑みてなされたもので、その目的とするところは、支持棹等の構成部材の取り付け・取り外し、位置変更、傾斜角度の変更等を簡単容易に行うことができ、土壌の状態や使用薬液の種類等の様々な状況に応じて迅速かつ柔軟に対応することができるようにされた薬液散布用ノズル装置を提供することにある。
【０００８】
【課題を解決するための手段】
前記の目的を達成すべく、本発明に係る薬液散布用ノズル装置は、基本的には、所定数のノズルが並設された左右方向に伸びる支持棹と、固定側部材に取付具を介して前後方向の位置並びに上下方向の位置を調節可能に取り付けられた腕部材と、該腕部材に前記支持棹を着脱可能に保持するための挟持機構と、を備える。
【０００９】
そして、前記挟持機構は、前記支持棹が乗せられる側面視溝形ないしＵ字状の受け部と、該受け部と協働して前記支持棹を挟持するフック部と、該フック部を挟持方向に付勢する付勢部材と、を有していることを特徴としている。
【００１０】
より好ましい態様では、前記挟持機構の前記フック部は、上下方向に揺動可能でかつ前記支持棹に直交する方向に移動可能とされ、前記支持棹は、前記受け部と前記フック部とで、回動可能に保持されるとともに、任意の回動位置にて挟圧固定される。
【００１１】
前記取付具は、好ましくは、前記固定側部材に締緩可能に取り付けられる緊締バンド部と、該緊締バンド部に固着され、前記腕部材が挿通せしめられる嵌挿穴が形成されるとともに、前記腕部材を任意の位置で固定保持するための固定ねじ部材が螺合せしめられた腕保持部材と、からなる。
他の好ましい態様では、前記支持棹の位置決めを行うための位置決め部材が設けられる。
【００１２】
より具体的な好ましい態様では、耕耘機におけるロータリ爪の左右に配設された一対の側板間を橋絡する横梁部材に、左右一対の前記腕部材が取付具を介して前方に突出せしめられた状態で取り付けられ、前記左右一対の腕部材の前端部にそれぞれ前記挟持機構が設けられる。
【００１３】
前記の如くの構成された本発明に係る薬液散布用ノズル装置の好ましい態様においては、ノズル管等の支持棹を腕部材から取り外すには、前記腕部材に設けられた挟持機構のフック部を付勢部材の付勢力に抗して反挟持方向に引っ張って受け部から離れる方向に回す等すればよく、また、前記支持棹を前記腕部材に取り付けるには、前記受け部に前記支持棹を乗せて前記フック部を前記支持棹に引っ掛けるようにして挟持すればよい。
【００１４】
したがって、前記支持棹の取り付け・取り外しは、工具等が不要となり、極めて容易に行える。しかも、前記支持棹は、挟持機構により弾性的に挟圧されて固定保持されるので、前記支持棹に振動衝撃等の外力が加えられても簡単には外れないという利点も得られる。さらに、前記位置決め部材が設けられているので、挟持状態において前記支持棹を回動させることができるとともに、任意の回動位置（姿勢）にて挟圧固定でき、ノズルの傾斜角度（対地角度）を容易に変更することも可能となる。また、前記支持棹（ノズル）の左右方向の位置決めも容易に行える。
【００１５】
また、前記腕部材は、固定側部材に取付具を介して前後方向の位置並びに上下方向の位置を調節可能に取り付けられるので、ノズルの左右方向及び前後方向の位置、並びに、前記腕部材の上下方向位置、言い換えれば、前記ノズルの地面からの高さ位置等も容易に変更することができる。
【００１６】
このように、本発明に係る薬液散布用ノズル装置は、支持棹等の構成部材の取り付け・取り外し、位置変更、傾斜角度の変更等を簡単容易に行うことができ、土壌の状態や使用薬液の種類等の様々な状況に応じて迅速かつ柔軟に対応することができる。
【００１７】
【発明の実施の形態】
以下、本発明の実施の形態を図面を参照しつつ説明する。
図１は、本発明に係る薬液散布用ノズル装置の一実施形態を備えた耕耘機の一例を示す左側面図である。図示実施形態の耕耘機１は、図示していない農業用トラクター後端の支持部に、連結機構７を介して上下動自在に連結された耕耘部２と、該耕耘部２による耕耘深さを可変とすべく、該耕耘部２と前記連結機構７との間に配在されて前記耕耘部２を地面Ｇから任意の高さ位置にて支承し得るようにされた左右一対のゲージホイール９、９と、を備える。
【００１８】
前記耕耘部２は、ロータリ爪３と、該ロータリ爪３の左右に配在された左右一対の側板４、４と、該左右一対の側板４、４を連結する円筒管からなる横梁部材５等で構成されている。
【００１９】
また、前記耕耘部２上には、前記横梁部材５に固着された左右一対の縦支持板部材１７、１７、及び箱形保持部材１８からなる清水タンク保持部１５が設けられ、この清水タンク保持部１５の前記箱形保持部材１８上に、直方体状の清水タンク２０が搭載保持されている。
【００２０】
前記清水タンク保持部１５の左面側（図１の手前側）には、薬液タンク保持部２２が設けられ、この薬液タンク保持部２２に、薬液タンク２５が若干後方に傾斜せしめられた姿勢で着脱可能に搭載保持されている。
【００２１】
前記耕耘部２と前記清水タンク２０及び前記薬液タンク２５との間には、前記薬液タンク２５内の薬液Ｋを前記清水タンク２０内の清水Ｗにより希釈して、本実施形態の薬液散布用ノズル装置３０に供給する、ポンプ８２等を備えた薬液希釈供給機構８０が配在されている。
【００２２】
本実施形態の薬液散布用ノズル装置３０は、図１に加えて図２、図３を参照すればよくわかるように、所定数のノズル３２が並設された左右方向（Ｙ）に伸びる支持棹としての円筒管からなるノズル管３５と、固定側部材である前記横梁部材５の左右端近傍に取付具４０を介して左右方向Ｙ及び前後方向Ｘの位置並びに上下方向Ｐの傾斜角度（高さ）を調節可能に取り付けられた、円筒管からなる左右一対の腕部材３７、３７と、該腕部材３７、３７に前記ノズル管３５を着脱可能に保持するための挟持機構５０、５０と、を備える。
【００２３】
前記ノズル管３５は、左右両端が塞がれており、その中央部に前記薬液稀釈供給機構８０から図示されていないフレキシブルパイプを介して供給される稀釈薬液Ｋ’を前記各ノズル３２に分配するようになっている。また、前記ノズル管３５の左右両端近くの所定位置、つまり、前記挟持機構５０の後述する受け部５２に近接する位置には、前記ノズル管３５の位置決めを行うための位置決め部材３８、３８が外嵌固定されている。
なお、位置決め部材３８、３８には、前記ノズル管３５の上側面に沿って前記受け部５２の中まで伸びる回り止め舌片３８ａが一体に形成されている。
【００２４】
前記取付具４０は、前記横梁部材５に締緩可能に取り付けられる上下一対の断面半円形の鍔付きバンド４１Ａ、４１Ｂ及び該両バンド４１Ａ、４１Ｂを互いに緊締連結する、ボルト・ナット部材４３、４３からなる緊締バンド部４１と、該緊締バンド部４１に溶接等で接合固定された腕保持部材４５と、を備える。該腕保持部材４５には、前記腕部材３７が挿通せしめられる嵌挿穴４６が形成されるとともに、前記腕部材３７を任意の位置で固定保持するためのすり割り付き止めねじからなる固定ねじ部材４８が螺合せしめられる雌ねじ部４７が形成されており、前記固定ねじ部材４８にはロックナット４９が螺合せしめられている。
【００２５】
したがって、前記腕部材３７（及び前記支持棹３５）は、前記取付具４０の前記ボルト・ナット部材４３を緩めることで、左右方向Ｙの位置及び上下方向Ｐの前記横梁部材５の軸線Ｏを中心とする傾斜角度を変更することができるとともに、前記固定ねじ部材４８を緩めることで長手方向Ｘ（前後方向）の位置、言い換えれば、前方Ｆへの突出長を変更することができる。
【００２６】
一方、前記挟持機構５０は、図４、図５を参照すればよくわかるように、前記ノズル管３５が乗せられる側面視溝形ないしＵ字状の前記受け部５２と、該受け部５２と協働して前記ノズル管３５を挟持するフック部５４と、該フック部５４を後方Ｒ（挟持方向）に付勢する付勢部材としての引っ張りコイルばね５６と、を有している。
【００２７】
前記受け部５２は、前方斜め上（管抜き方向Ｑ）に向けて口を開いた姿勢で、前記腕部材３７の前端部３７ａ上面にボルト６１、６１で固定されたステー６２の先端部に溶接等により接合されている。前記フック部５４は、前記腕部材３７の前端部３７ａ側面に横向きに突設されたボルト５３に外嵌固定された支軸５５に、上下方向Ｐに揺動可能でかつ前記ノズル管３５に直交する方向Ｘに移動可能に支持されている。
【００２８】
より詳しくは、前記支軸５５の前記フック部５４側の端部には、面取り切欠部５５ａが形成され、前記支軸５５における前記フック部５４より外側には、座金６７が外嵌されるとともに、抜け止め用のナット６８が螺合せしめられている。前記フック部５４の基端側には、上下方向Ｐの揺動並びに前記ノズル管３５に直交する方向Ｘの移動を許容するガイド穴５８が形成されている。このガイド穴５８は、後端側の前記支軸５５の直径と略等しい直径の円形状部５８ａと、前端側の前記面取り切欠部５５ａが嵌合せしめられる切欠円形状部５８ｂとが連設された形状とされている。
【００２９】
かかる構成とされた本実施形態の薬液散布用ノズル装置３０においては、前記ノズル管３５を前記腕部材３７から取り外すには、まず、図４（Ｃ）に示される如くの、前記支軸５５の前記面取り切欠部５５ａに前記ガイド穴５８の前記切欠円形状部５８ｂが嵌合せしめられている挟圧保持状態から、前記挟持機構５０の前記フック部５４を引っ張りコイルばね５６の引っ張り力に抗して反挟持方向、つまり、前記腕部材３５に沿って前方Ｆに引っ張る。これにより、図４（Ｂ）に示される如くに、前記フック部５４が前方Ｆに移動して、その引っ掛け端部５４ａが前記ノズル管３５より前方Ｆに引き出されるとともに、前記ガイド穴５８の前記円形状部５８ａが前記支軸５５の前記面取り切欠部５５ａの位置に来る。次いで、図４（Ａ）に示される如くに、前記フック部５４を上向きに揺動させると、前記引っ掛け端部５４ａが前記受け部５２より後方に位置せしめられ、前記受け部５２の上面開口が完全に開かれるので、前記ノズル管３５を管抜き方向Ｑに引き出すことができる。
【００３０】
また、前記ノズル管３５を前記腕部材３７に取り付けるには、図４（Ａ）に示される如くに、前記フック部５４を上方に揺動させた状態で、前記受け部５２に前記ノズル管３５を乗せて、図４（Ｂ）、（Ｃ）に示される如くに、前記フック部５４を倒し、前記引っ張りコイルばね５６で後方Ｒへ引っ張らせて前記ノズル管３５に引っ掛けるようにして挟持すればよい。
【００３１】
したがって、前記ノズル管３５の取り付け・取り外しは、工具等が不要となり、極めて容易に行える。しかも、前記ノズル管３５は、前記挟持機構５０（の引っ張りコイルばね５６）により弾性的に挟圧されて固定保持されるので、前記ノズル管３５に振動衝撃等の外力が加えられても簡単には外れないという利点も得られ、さらに、挟持状態において、前記位置決め部材３８の固着を緩めて、前記回り止め舌片３８ａを前記受け部５２に係合せしめたまま前記ノズル管３５を前後方向Ｓに回動させることにより、任意の回動位置（姿勢）にて挟圧固定できるので、前記ノズル３２の傾斜角度（対地角度）を容易に変更することも可能となる。
【００３２】
また、前記位置決め部材３８、３８の左右方向Ｙの固着位置を変更することにより、前記ノズル管３５（前記ノズル３２）の左右方向Ｙの位置決めも容易に行える。
【００３３】
また、前記腕部材３７は、前記横梁部材５に前記取付具４０を介して左右方向Ｙ及び前後方向Ｘの位置並びに上下方向Ｐの傾斜角度を調節可能に取り付けられるので、前記ノズル３２の左右方向Ｙ及び前後方向Ｘの位置、並びに、前記腕部材３７の傾斜角度、言い換えれば、前記ノズル３２の地面Ｇからの高さ位置Ｈ等も容易に変更することができる。
【００３４】
このように、本実施形態の薬液散布用ノズル装置３０は、ノズル管３５等の構成部材の取り付け・取り外し、位置変更、傾斜角度の変更等を簡単容易に行うことができ、土壌の状態や使用薬液の種類等の様々な状況に応じて迅速かつ柔軟に対応することができる。
【００３５】
以上、本発明の一実施形態について詳述したが、本発明は、前記実施形態に限定されるものではなく、特許請求の範囲に記載された発明の精神を逸脱しない範囲で、設計において、種々の変更ができるものである。
例えば、前記フック部５４のばね係止部５４ａや前記支軸５５の位置等を適宜に設定してオーバーデッドセンター式位置保持構成として、手放しでも図４（Ａ）の状態が維持できる様にせしめれば、作業が一層容易となり、好適である。
【００３６】
【発明の効果】
以上の説明から理解されるように、本発明の薬液散布用ノズル装置は、支持棹等の構成部材の取り付け・取り外し、位置変更、傾斜角度の変更等を簡単容易に行うことができ、土壌の状態や使用薬液の種類等の様々な状況に応じて迅速かつ柔軟に対応することができる。
【図面の簡単な説明】
【図１】本発明に係る薬液散布用ノズル装置の一実施形態を備えた耕耘機の一例を示す左側面図。
【図２】図１に示される薬液散布用ノズル装置の要部拡大左側面図。
【図３】図１に示される薬液散布用ノズル装置の概略平面図。
【図４】（Ａ）〜（Ｃ）は、図１に示される薬液散布用ノズル装置における挟持機構の構成及び支持棹（ノズル管）の取り付け・取り外し操作の説明に供される図。
【図５】図４（Ｃ）のＶ矢視図。
【符号の説明】
１    耕耘機
３    ロータリ爪
４    側板
５    横梁部材（固定側部材）
３０  薬液散布用ノズル装置
３２  ノズル
３５  ノズル管（支持棹）
３７  腕部材
３８  位置決め部材
４０  取付具
４１  緊締バンド部
４５  腕保持部材
４６  嵌挿穴
４８  固定ねじ部材
５０  挟持機構
５２  受け部
５４  フック部
５６  引っ張りコイルばね（付勢部材）
Ｘ    前後方向
Ｙ    左右方向
Ｐ    上下方向
【図１】
2004222580.tif 000003
【図２】
2004222580.tif 000004
【図３】
2004222580.tif 000005
【図４】
2004222580.tif 000006
【図５】
2004222580.tif 000007